(57)【要約】【課題】光プリントヘッドにおいて、ロッドレンズを有するレンズアレイの光軸調整を容易に行うと共に、レンズアレイの強度を高め、調整個所を少なくしたものである。【解決手段】１群のロッドレンズ１６…を並べた長寸のレンズアレイ１５と、レンズアレイの両端に設けたブロック１７，１７と、レンズアレイとブロックを左右から挟持固定する一対の補強板１８，１８とにより構造体２１を構成し、一方、対向して設けた調整ネジ１０，１０、１１，１１を有する平行壁８、８により間隙を形成したホルダ２を備え、前記構造体の両端のブロックを間隙に収納し調整ネジにより調整するものである。【選択図】        図１
2004148728.tif 000002
【特許請求の範囲】
【請求項１】
１群のロッドレンズを互いの光軸が平行するように並べた長寸のレンズアレイと、このレンズアレイの両端部に設けたブロックと、前記レンズアレイの長手方向の両側面に配置して該レンズアレイ及びブロックを挟持固定する一対の補強板とにより構造体を構成し、少なくとも両側に間隙を存して対向する平行壁を形成したホルダと、前記それぞれの平行壁のレンズアレイの長手方向と直交する方向に進退自在に設けた調整ネジを備え、前記構造体のブロックを間隙内に収納し、調整ネジによりレンズアレイの傾動を調整することを特徴とする光プリントヘッド。
【請求項２】
前記調整ネジは、レンズアレイの光軸方向に複数個設けたことを特徴とする請求項１に記載の光プリントヘッド。
【請求項３】
１群のロッドレンズを互いに光軸が平行するように並べた長寸のレンズアレイと、このレンズアレイの両端部に設けたブロックと、前記レンズアレイの長手方向の両側面に配置した該レンズアレイ及びブロックを挟持固定する一対の補強板とにより構造体を構成し、少なくとも両側に間隙を存して対向する平行壁を形成したホルダと、一方の平行壁のレンズアレイの長手方向と直交する方向に進退自在に設けた調整ネジと、他方の平行壁の間隙内に設けた弾性体とからなり、前記ブロックを間隙内に収納し、調整ネジによりレンズアレイの傾動を調整し前記弾性体により調整ネジによるレンズアレイの傾動変位を保持することを特徴とする光プリントヘッド。
【請求項４】
前記調整ネジは、レンズアレイの光軸方向に複数個設けたことを特徴とする請求項３に記載の光プリントヘッド。
【請求項５】
前記間隙の下方に位置するホルダから上方に突出する上下動自在な昇降ネジを設け、前記昇降ネジによりレンズアレイのブロックを上動させることを特徴とする請求項１及び３に記載の光プリントヘッド。
【請求項６】
前記間隙の上方にあって平行壁に固定した座板に上下動自在な可動ネジを設け、前記可動ネジによりレンズアレイのブロックを下動させることを特徴とする請求項１及び３に記載の光プリントヘッド。
【発明の詳細な説明】
【０００１】
【発明の属する技術分野】
本発明はプリンタの感光ドラムに画像の静電潜像を形成する光プリントヘッドの構造に関する。
【０００２】
【従来の技術】
コンピュータ等の出力手段として用いられるプリンタには、ドットインパクト方式、インクジェット方式、電子写真方式等種々の形式のものがある。電子写真方式の代表的なものであるゼログラフィー方式では、感光体ドラムを露光して画像の静電潜像を形成し、この静電潜像にトナーを付着させ、可視像とする。このトナーを紙に転写し、熱を加えてトナーを融解し、紙に定着させるものである。感光体ドラムを露光する方式としてはレーザ光を回転ミラーで反射し、感光体ドラムをスキャニングする方式、またロッドレンズを多数並べた商品名セルフォックレンズとして知られるレンズアレイを感光体ドラムと平行に置いて等倍投影する方式などがある。
【０００３】
レンズアレイを用いる光プリントヘッドは、可動部がなく構造的に簡単であり、故障が少なく、コスト的にも有利であるという特徴がある。
【０００４】
従来は、レンズアレイを強度が大きく平坦なホルダに両面テープで貼りつけて固定していた。しかしながらレンズアレイによってはロッドレンズに倒れ（傾き）が生じ光軸がズレていることがあった。ロッドレンズに倒れが生じると感光体ドラム上の結像スポットが副走査方向（感光体ドラムの軸線に直交する方向）にずれる。マゼンタ用、シアン用、イエロー用、ブラック用と各色毎の現像ユニットを順に配置するタンデム方式のカラープリンタにあっては、各色の結像スポットが一致していないと色ずれした画像として印字してしまう。これを防ごうと思えば、ロッドレンズの倒れの少ないレンズアレイばかりを選び出して基台に貼りつける必要があり、コストアップの要因となっていた。
【０００５】
また、ロッドレンズアレイの傾きを手動により操作して光軸のズレを調整する方法として、ロッドレンズアレイを保持するハウジングの両側に走査方向に沿って一列に並ぶ複数個の調整ネジを設け、この調整ネジを調整することにより光軸のズレを補正していた。（例えば、特許文献１参照）
【０００６】
【特許文献１】
特開２００２−２２５３３９号公報（図１）
【０００７】
【発明が解決しようとする課題】
前述の特許文献１によれば、ロッドレンズアレイのほぼ全長にわたって一列に並んで設けた複数個の調整ネジを１つづつ調整してロッドレンズアレイの傾動を調整するものであるため、非常に多くの調整ネジを調整することとなり、多くの手間がかかり調整が面倒となるばかりか、調整ネジの個数が多く部品コスト、組み立てコストが増加し不都合であった。
【０００８】
しかしながら、この様に多くの調整ネジをロッドレンズアレイの走査方向に一列に並べて調整することが必要な理由は、もともとロッドレンズアレイは、前述の様にプリンタに応じた大きさに設定する必要があるため、己ずと長寸で幅の狭い形状となる。
【０００９】
このため、完成品のロッドレンズアレイであっても若干ゆがみを生じたり、ハウジングへの収納後に副走査方向に傾いてしまうため、ロッドレンズアレイの全長にわたって傾きを調整する必要がある。
【００１０】
本発明は、光プリントヘッドにおいて、１群のロッドレンズを互いの光軸が平行するように並列に並べたレンズアレイの光軸調整を容易に行えるようにし、レンズアレイ内におけるロッドレンズの姿勢に多少の不整があったとしても問題なく使用できるようにすることを目的とする。またレンズアレイのピント調整も容易に行えるようにすることを目的とする。
【００１１】
【課題を解決するための手段】
本発明は、１群のロッドレンズを互いの光軸が平行するように並べた長寸のレンズアレイと、このレンズアレイの両端部に設けたブロックと、前記レンズアレイの長手方向の両側面に配置して該レンズアレイ及びブロックを挟持固定する一対の補強板とにより構造体を構成し、少なくとも両側に間隙を存して対向する平行壁を形成したホルダと、前記平行壁のレンズアレイの長手方向と直交する方向に進退自在に設けた調整ネジを備え、前記構造体のブロックを間隙内に収納し、調整ネジによりレンズアレイの傾動を調整するものである。
【００１２】
また、前記調整ネジは、レンズアレイの光軸方向に複数個設けたものである。
【００１３】
そして、１群のロッドレンズを互いに光軸が平行するように並べた長寸のレンズアレイと、このレンズアレイの両端部に設けたブロックと、前記レンズアレイの長手方向の両側面に配置した該レンズアレイ及びブロックを挟持固定する一対の補強板とにより構造体を構成し、少なくとも両側に間隙を存して対向する平行壁を形成したホルダと、一方の平行壁のレンズアレイの長手方向と直交する方向に進退自在に設けた調整ネジと、他方の平行壁の間隙内に設けた弾性体とからなり、前記ブロックを間隙内に収納し、調整ネジによりレンズアレイの傾動を調整し前記弾性体により調整ネジによるレンズアレイの傾動変位を保持するものである。
【００１４】
さらに、前記調整ネジは、レンズアレイの光軸方向に複数個設けたものである。
【００１５】
そして、前記間隙の下方に位置するホルダから上方に突出する上下動自在な昇降ネジを設け、前記昇降ネジによりレンズアレイのブロックを上動させるものである。
【００１６】
加えて、前記間隙の上方にあって平行壁に固定した座板に上下動自在な可動ネジを設け、前記可動ネジによりレンズアレイのブロックを下動させるものである。
【００１７】
【発明の実施の形態】
以下に本発明の光プリントヘッドの実施例を図面に基づいて説明する。図１は本発明の光プリントヘッドの実装状態を示す要部平面断面図、図２は同じく構造体の平面図、図３は図２に示した構造体をホルダに固定した状態を示す側面図、図４は同じく構造体の両端部の保持状態を示す側面断面図、図５は図４に示した両端部をさらに展開した応用例を示す側面断面図、図６は同じく構造体の両端部の異なる保持状態の実施例を示す側面断面図、図７は同じく図６に示した両端部をさらに展開した応用例を示す側面断面図、図８は同じく他の異なる実施例を示す側面断面図、図９は図８に示した両端部をさらに展開した応用例を示す側面断面図、図１０は同じく他の異なる応用例を示す側面断面図、図１１は図１０に示した両端部を展開した応用例を示す側面断面図である。
【００１８】
本発明の実施例は基本的に、図４、図６、図８、図１０は同じ技術思想であり、図５、図７、図９、図１１はそれらの応用例を示すものである。
【００１９】
始めに、図１の実装状態を図２〜図４に基づいて説明する。（１）はアルミニウム等の鍋よりなる放熱フィン、（２）は前記放熱フィンにネジ（３），（４）、（５），（６）により前記放熱板（１）に固定したアルミニウム等の金属よりなる長寸のホルダで、両端部には、間隙（７）を存して対峙した平行壁（８），（８）、（９），（９）を形成し、それぞれの平行壁には図４に示す様に、後述する構造体の長手方向と直交する方向で且つ上下（光軸方向）に配設した２組の調整ネジ（１０），（１０）、（１１），（１１）を進退自在に取り付けている。
【００２０】
前記ホルダ（２）は図４に示す様に、平行壁（８），（８）を間にして左右に延びる平板部（２Ａ），（２Ｂ）を形成し、放熱フィン（１）に密着させる。
【００２１】
（１２），（１２）は前記ネジ（３），（４）、（５），（６）による放熱フィン（１）とホルダ（２）の固定時に同時にホルダの上面に固定する押え板で、結果、ネジ（３），（４），（５），（６）は平板部（２Ａ），（２Ｂ）を間にして押え板（１２），（１２）と放熱フィン（１）を螺合固定する。
【００２２】
（１３）は前記放熱フィン（１）の内方に形成された空洞（図８〜図１１の（１４））内に配置したＬＥＤやドライバＩＣ等を装着する基板である。
【００２３】
図１に戻り、（１５）は図２に示す様に１群のロッドレンズ（１６）…を互いの光軸が平行するように並列に並べてユニット化したレンズアレイ、（１７），（１７）は前記レンズアレイの両端部に嵌合、接着、或は当接により隣接して設けた硬質樹脂製のブロックで、レンズアレイの幅寸法と同幅寸法にしている。
【００２４】
（１８），（１８）は前記レンズアレイ（１５）とブロック（１７），（１７）を挟持固定するアルミニウム等よりなる厚みのある一対の補強板で、両端側にはネジ孔（図示せず）を設けている。
【００２５】
従って、前述の様にレンズアレイ（１５）とブロック（１７），（１７）を挟持しボルト（１９）、ナット（２０）によりブロック（１７），（１７）を貫通して固定し長寸の構造体（２１）を構成する。（図２参照）
この様にして構成された構造体（２１）は、図３に示す様に、その両端部のブロック（１７），（１７）を平行壁（８），（８）間の間隙（７）内に収納し、ＬＥＤのほぼ真上に位置させる。
【００２６】
この様な収納状態では、レンズアレイ（１５）の下端がＬＥＤに向き合っているものの光軸の位置合わせはこの時点では不完全であり、もっと正確に行う必要がある。
【００２７】
そこで、光軸の調整は調整ネジ（１０），（１０）、（１１），（１１）で行うわけであるが、光軸が図４に示すＡ側に傾いている場合には、図面の左側上部の調整ネジ（１１）を緩め、右側上部の調整ネジ（１０）を締めるか、或は、図面左側下部の調整ネジ（１１）を緩め、右側下部の調整ネジ（１０）を締めるようにして光軸を調整する。光軸がＢ側に傾いている場合には、同様に、図面の左側上部の調整ネジ（１１）を締め、右側上部の調整ネジ（１０）を緩めるか、或は、図面左側下部の調整ネジ（１１）を緩め、右側下部の調整ネジ（１０）を締めることにより調整する。
【００２８】
微妙な調整は、勿論それぞれの調整ネジ（１０），（１０）、（１１），（１１）を僅かづつ緩めたり、締めたりして調整を行う。
【００２９】
図５の応用例は、間隙（７）内に弓形の金属性バネよりなる弾性体（２２）を設けたものであり、構造体（２１）をホルダ（２）にセットするときには、弾性体（２２）がブロック（１７）を徐々に受け入れてガタつきを防止する。この応用例の場合は、調整ネジ（１０），（１０）を一方の平行壁（８）の上下部に１個づつ配置したものであり、光軸が図４に示したＡ側に傾いている場合には、上部の調整ネジ（１０）のみを締めるか、或は下部の調整ネジ（１０）のみを緩めることにより調整が可能であり、より微妙な調整はそれぞれの調整ネジ（１０），（１０）を僅かづつ緩めたり、締めたりすることにより行う。
【００３０】
本応用例では、どの調整ネジ（１０），（１０）を用いて調整した場合であっても弾性体（２２）がその変化量を吸収し構造体（２１）をガタつきなく保持する。
【００３１】
図６は、図４の技術思想を応用したものであり、それぞれの平行壁（８），（８）に上下方向に並んで３個づつの調整ネジ（１０），（１０），（１０）、（１１），（１１），（１１）を設けたものでそれぞれのネジを単独で緩めたり、締めたりすることにより精度の高い調整が可能となる。特に、構造体（２１）の高さ寸法が高いものにあっては有効であり、図面としてはあげていないが平行壁（８），（８）に上下方向に並んで４個づつの調整ネジを設けてもよいことは勿論、同じ技術思想となる。
【００３２】
図７は、調整ネジを３個用いた場合の応用例で、図５と同様に弾性体（２２）を間隙（７）内に収納する。
【００３３】
図８は、図４に示した実施例に、構造体（２１）の両端部を上下動させる昇降ネジ（２３），（２３）を設けたもので、この昇降ネジ（２３）は図８では放熱フィン（１）側から昇降するようにしているが、ホルダ（２）の空洞（１４）内から行うようにしてもよい。この昇降ネジ（２３），（２３）による調整は、ピント合わせに用いるものであり、左右の昇降ネジを適宜調整することにより、構造体（２１）の全体、或は一方の端部を押し上げたり、全体、或は一方の端部を下げることにより調整する。
【００３４】
図９は、図８の昇降ネジ（２３），（２３）によるピント調整と図５に示した２個の調整ネジ（１０），（１０）による光軸調整を合わせ持つものである。
【００３５】
図１０は、間隙（７）の上方で平行壁（８），（８）に固定した座板（２４）、（２４）を有し、この座板に上下動自在な可動ネジ（２５），（２５）を設けると共に、間隙（７）の下方にはホルダ（２）からスプリング（２６），（２６）により常時間隙内に突出する如く附勢された上下動自在な吸収体（２７），（２７）備えている。本実施例では、構造体（２１）の傾きを平行壁（８），（８）の調整ネジ（１０），（１０）、（１１），（１１）で行うことと、構造体の上下位置を可動ネジ（２５）で行うものであり、構造体四方が調整ネジと可動ネジと吸収体により保持されることになり安定した保持を行い、且つ、可動ネジ（２５），（２５）の調整により、構造体の全体、或は一方の端部を押し下げてピント合わせを行うことと、押し下げに伴う構造体の押し下げ力を吸収体（２７），（２７）により緩和し構造体を安定保持する。
【００３６】
【発明の効果】
以上の様に本発明は、長寸のレンズアレイと、該レンズアレイの両端部に設けたブロックとを一対の補強板で挟持固定した構造体をホルダの間隙内に収納し、この間隙を構成する平行壁に設けた調整ネジによりレンズアレイの傾動を調整するものであるから、ロッドレンズの姿勢に多少の不整があったとしても調整ネジにより調整し問題なく使用することができる。
【００３７】
特に、ロッドレンズを並べたレンズアレイと、このレンズアレイの両端部に設けたブロックとを一対の補強板により挟持固定することにより、レンズアレイの中間部辺りの強度が増し、結果としてレンズアレイの両端側を調整するだけでよく調整の手間が大幅に削減でき、且調整ネジの個数を減らすことができる。
【００３８】
また、調整ネジをレンズアレイの光軸方向に複数個設けたことにより、ロッドレンズの微妙な調整が可能となる。
【００３９】
そして、レンズアレイの構造体のブロックを収納する間隙内に弾性体を設けたものであるから、構造体をホルダにより保持したときのガタつきを防止できることは勿論のこと、調整ネジを最小限の個数にして調整し、レンズアレイの傾動変位を保持することができる。
【００４０】
さらに、構造体を間隙内に入れて弾性体により保持するものにおいて、調整ネジをレンズアレイの光軸方向に複数個設けたものであるから、傾動の微調整を行いながらも調整の状態を弾性体で保持できる。
【００４１】
また、間隙の下方に位置するホルダから上方に突出する上下動自在な昇降ネジを設けてブロックを上下動させレンズアレイを上動させることによりピント合わせを行うことができる。
【００４２】
そして、間隙の上方に上下動自在な可動ネジを設けてブロックを下動させるためピント合わせに有効となる。
【図面の簡単な説明】
【図１】本発明の光プリントヘッドの実装状態を示す要部平面断面図である。
【図２】同じくロッドレンズアレイを固定した構造体の平面図である。
【図３】図２に示した構造体をホルダに固定した状態を示す側面図である。
【図４】同じく構造体の両端部の保持状態を示す側面断面図である。
【図５】図４に示した両端部をさらに展開した応用例を示す側面断面図である。
【図６】同じく構造体の両端部の異なる保持状態の実施例を示す側面断面図である。
【図７】同じく図６に示した両端部をさらに展開した応用例を示す側面断面図である。
【図８】同じく他の異なる実施例を示す側面断面図である。
【図９】図８に示した両端部をさらに展開した応用例を示す側面断面図である。
【図１０】同じく他の異なる応用例を示す側面断面図である。
【図１１】図１０に示した両端部を展開した応用例を示す側面断面図である。
【符号の説明】
２  ホルダ
７  間隙
８  平行壁
１０  調整ネジ
１１  調整ネジ
１５  レンズアレイ
１６  ロッドレンズ
１７  ブロック
１８  補強板
２１  構造体
【図１】
2004148728.tif 000003
【図２】
2004148728.tif 000004
【図３】
2004148728.tif 000005
【図４】
2004148728.tif 000006
【図５】
2004148728.tif 000007
【図６】
2004148728.tif 000008
【図７】
2004148728.tif 000009
【図８】
2004148728.tif 000010
【図９】
2004148728.tif 000011
【図１０】
2004148728.tif 000012
【図１１】
2004148728.tif 000013